(57)【要約】【課題】用紙をループ状に保管する構成で、横置き及び縦置きのどちらにも適用可能なプリンター装置を提供する。【解決手段】本体ケース内に装着されたロール紙から引き出された用紙に、印字装置により所定の印字を施すと共にこの用紙を所定方向に送り出す。印字されカッター装置を経て送り出された用紙を搬送ローラにより排出口に搬送する。本体ケースの一面には、開口を介して本体ケース内に通じる収容スペースを有するボックス体を設ける。カッター装置の出口部から前記ボックス体の設置面に向って形成され、かつ先端部がボックス体の開口に通じるループ用スペースをガイド部材により形成する。制御部は、搬送ローラを正回転させ、印字された用紙を予め設定した距離搬送後に停止させ、印字装置から送り出される用紙をループ用スペース内でループさせる。カッター装置により用紙が切断されると、再度搬送ローラを正回転させ、切断された用紙を排出口から露出させて取り去り可能な状態とする。【選択図】図１
2014015023.tif 000002
【特許請求の範囲】
【請求項１】
筐体状をなし、その一面の少なくとも一部が開放面となっている本体ケースと、
この本体ケース内に装着されたロール紙と、
前記本体ケース内に設けられ、前記ロール紙から引き出された用紙に所定の印字を施すと共にこの用紙を所定方向に送り出す印字装置と、
この印字装置から送り出された用紙を切断するカッター装置と、
このカッター装置を経た前記用紙を、前記本体ケース外への排出口に向って搬送可能な搬送ローラと、
内部に収容スペースを有し、前記本体ケースの一面に設けられ、前記本体ケース内と前記収容スペースとを連通する開口が形成されたボックス体と、
前記カッター装置の出口部から前記搬送ローラまでの前記用紙の搬送方向に対して前記ボックス体の設置面側に向って形成され、その先端部が前記ボックス体の開口に通じるループ用スペースを形成するガイド部材と、
前記印字装置により送り出され前記カッター装置を経た用紙を前記排出口に搬送させるために前記搬送ローラを正回転させ、予め設定した距離搬送後に停止させ、前記印字装置から送り出される用紙を前記ループ用スペース内でループさせ、前記カッター装置により用紙が切断されると、切断された用紙が前記排出口から外部に露出して取り去り可能な状態となるまで前記搬送ローラを正回転させる制御部と、
を備えたことを特徴とするプリンター装置。
【請求項２】
前記制御部は、前記用紙切断から所定時間経過しても用紙が取り去られない場合は、前記搬送ローラを逆回転させ、切断された用紙を、前記ループ用スペースを経て前記ボックス体内の収容スペースへ搬送させることを特徴とする請求項1に記載のプリンター装置。
【請求項３】
前記ボックス体が設けられた前記本体ケースの一面の少なくとも一部は開放面であり、前記ボックス体はこの開放面に対して開閉可能に取り付けられており、この開放面を通して前記ロール紙を前記本体ケース内へ装着可能としたことを特徴とする請求項１又は請求項２に記載のプリンター装置。
【請求項４】
前記ボックス体は、その外面が開閉可能に構成されており、開放時ボックス体の収容スペース内に回収された用紙を取り出し可能としたことを特徴とする請求項１乃至請求項３のいずれかに記載のプリンター装置。
【請求項５】
前記本体ケースは、その内部に設けられたロール紙から横方向に用紙が引き出される水平設置と、前記ロール紙から上方へ用紙が引き出される垂直設置との２つの状態に設置可能であり、これら水平、垂直のそれぞれの設置状態において、顧客と対面する互いに異なる面には前記用紙の排出口がそれぞれ設けられており、内部には用紙をいずれかの排出口に導く切換機構が設けられていることを特徴とする請求項１乃至請求項４のいずれかに記載のプリンター装置。
【発明の詳細な説明】
【技術分野】
【０００１】
本発明の実施形態は、ロール紙から引き出されて印字された後、切断された用紙を所定の排出口から排出させるプリンター装置に関する。
【背景技術】
【０００２】
レシート等の発行に用いられるプリンター装置では、ロール紙から引き出された長尺状の用紙に所定事項を印刷した後、印刷済みの紙片を対応する長さに切断して排出を行っている。この場合、用紙の受取人が排出される用紙を掴んだり、排出口を手で抑えたりして用紙排出を妨害するおそれがある。このような予測できないジャム発生を回避する対策として、用紙の印刷及び切断が完了するまで、排出すべき用紙を排出口の内側で保管し、用紙切断後に受取人側へ排出するような対策が採られている。
【０００３】
印字済みの用紙を所定長さに切断するまで装置内で保管する場合、この印字済みの用紙を直線状のまま保管すると大きな保管スペースが必要となり、装置が大形化する。このため、印字済みの用紙を装置内部でループ状に湾曲させることで、保管スペースを縮小したものが提案されている。
【先行技術文献】
【特許文献】
【０００４】
【特許文献１】特開平１１−１２３８５０号公報
【発明の概要】
【発明が解決しようとする課題】
【０００５】
このような装置では、用紙の搬送動作に伴ってループを形成するものであり、ループ形成のために比較的大きなスペースを確保しなければならない。つまり用紙搬送路の下方に、重力により用紙をループ状に湾曲させるための大きなスペースを必要としている。このため、プリンター装置としての使用形態は、用紙を水平方向に搬送する所謂横置きタイプに構成する必要がある。
【０００６】
ところで、レシート等の発行に用いられるプリンター装置は、その使用形態として、上述した横置きタイプで使用されるだけではなく、壁面などに垂直方向に取り付ける縦置きタイプで使用できることも要望されている。
【０００７】
しかしながら、上述した従来例では、用紙を垂直方向に搬送する縦置きタイプにおいて用紙をループ状に形成することについて考慮されておらず、縦置きタイプでの使用は実質的に困難であった。
【０００８】
本発明が解決しようとする課題は、用紙をループ状に保管する構成で、横置き及び縦置きのどちらにも適用可能なプリンター装置を提供することにある。
【課題を解決するための手段】
【０００９】
本発明の実施の形態に係るプリンター装置は、筐体状をなし、その一面の少なくとも一部が開放面となっている本体ケースと、この本体ケース内に装着されたロール紙と、前記本体ケース内に設けられ、前記ロール紙から引き出された用紙に所定の印字を施すと共にこの用紙を所定方向に送り出す印字装置と、この印字装置から送り出された用紙を切断するカッター装置と、このカッター装置を経た前記用紙を、前記本体ケース外への排出口に向って搬送可能な搬送ローラと、内部に収容スペースを有し、前記本体ケースの一面に設けられ、前記本体ケース内と前記収容スペースとを連通する開口が形成されたボックス体と、前記カッター装置の出口部から前記搬送ローラまでの前記用紙の搬送方向に対して前記ボックス体の設置面側に向って形成され、その先端部が前記ボックス体の開口に通じるループ用スペースを形成するガイド部材と、前記印字装置により送り出され前記カッター装置を経た用紙を前記排出口に搬送させるために前記搬送ローラを正回転させ、予め設定した距離搬送後に停止させ、前記印字装置から送り出される用紙を前記ループ用スペース内でループさせ、前記カッター装置により用紙が切断されると、切断された用紙が前記排出口から外部に露出して取り去り可能な状態となるまで前記搬送ローラを正回転させる制御部とを備えたことを特徴とする。
【図面の簡単な説明】
【００１０】
【図１】本発明の一実施の形態に係るプリンター装置の要部構成図である。
【図２】図１で示したプリンター装置の切換機構を説明する構成図である。
【図３】図１で示したプリンター装置の本体ケースに設けたボックス体を開放した状態を示す構成図である。
【図４】図１で示したプリンター装置の本体ケースに設けたボックス体の外面を開放した状態を示す構成図である。
【図５】本発明の一実施の形態に係るプリンター装置の制御回路構成を説明するブロック図である。
【発明を実施するための形態】
【００１１】
以下、本発明の実施の形態について、図面を用いて詳細に説明する。
【００１２】
図１は、レシート等の発行に用いられるプリンター装置を壁面などに垂直に取り付けた所謂縦置きタイプとして構成した場合を示している。
【００１３】
図１において、プリンター装置の本体ケース１１は縦長の筐体状をなし、その背面（図示左側面）は、図示しない壁面などに取り付けられている。また、この本体ケース１１の一面、すなわち、図示しない顧客と対面する前面（図の例では右側面）の少なくとも一部（後述するボックス体１２が設けられた部分）は開放面となっている。さらに、この本体ケース１１内には、最終的にレシート等となる長尺状の用紙をロール状に巻回したロール紙１３が回転可能に装着されている。すなわち、ロール紙１３は、その中心部に設けられた円筒状のコア芯が、装置本体ケース１１内に回転可能に支持されており、その回転により長尺状の用紙１３１を図示上方へ引き出せるように構成されている。
【００１４】
本体ケース１１内のロール紙１３の上方には印字装置１４が設けられている。この印字装置１４は、ロール紙１３から引き出された用紙１３１に所定の印字を施すと共に、この用紙１３１を所定方向（図示上方）へ送り出す搬送機能を有する。すなわち、印字装置１４は、印字ヘッド１４１、及びこれと対向配置されたプラテン１４２とで構成される。プラテン１４２は、上述のようにロール紙１３から用紙１３１を引き出して搬送する搬送ローラを兼ねており、図示しないが、駆動手段としてのモータがギヤ機構を介して連結されている。
【００１５】
この印字装置１４の図示上方（用紙搬送方向下流側）にはカッター装置１８が設けられている。このカッター装置１８は、印字装置１４から送り出された印字された用紙１３１を所望の長さに切断してレシートやチケット等として形成する。すなわち、このカッター装置１８は、ケース１８１内にて相対的に進退動作するカッター刃１８２，１８３を有し、これらカッター刃１８２，１８３間を通る印字済みの用紙１３１を所望の長さに切断する。このカッター刃１８２，１８３の進退は、図示しないモータ等の駆動手段によって行われる。また、ケース１８１は、図示上面部が前下がり（図示左下がり）に傾斜した状態で設置されており、後述するガイド部材１９と共に、用紙１３１をループさせ、一時的に保管するためのスペース（以下、ループ用スペースと呼ぶ）２０を前下がりに形成する。
【００１６】
このループ用スペース２０を隔てたカッター装置１８の図示上方には、カッター装置１８を経た用紙１３１を、本体ケース１１外への排出口２１Ａ，２１Ｂに向って搬送可能な搬送ローラ２２が設けられている。すなわち、この搬送ローラ２２は、図示しないモータにより可逆回転可能に駆動されるもので、その外周面は、印字装置１４から送り出されて、カッター刃１８２，１８３間を通過した用紙１３１の先端部が当接する位置に配置されている。
【００１７】
前述したガイド部材１９は上側ガイド部材１９１と下側ガイド部材１９２とからなる。上側ガイド部材１９１は、カッター刃１８２，１８３間を通過した用紙１３１の先端部を搬送ローラ２２の外周面に導く第１直線部１９１ａと、搬送ローラ２２の図示左半部外周面を囲う湾曲部１９１ｂと、この湾曲部１９１ｂの端部から排出口２１Ａ，２１Ｂに達する第２直線部１９１ｃとを有する。
【００１８】
下側ガイド部材１９２は、カッター装置ケース１８１の図示上面部とほぼ平行に前下がりに傾斜して配置され、前述したループ用スペース２０を形成する第１直線部１９２ａと、搬送ローラ２２の両側方（紙面と直交する方向）において、前記上側ガイド部材１９１の湾曲部１９１ｂとほぼ平行に対峙する湾曲部１９２ｂと、前記上側ガイド部材１９１の第２直線部１９１ｃとほぼ平行に対峙して排出口２１Ａ，２１Ｂに通じる紙通路を形成する第２直線部１９２ｃとを有する。
【００１９】
すなわち、これらガイド部材１９は、カッター装置１８の出口部から搬送ローラ２２までの用紙１３１の搬送方向に対して、ボックス体１２の設置面に向って形成され、その先端部がボックス体１２の後述する開口１２２と連通する、前下がりに傾斜したループ用スペース２０を形成すると共に、搬送ローラ２２の外周面に沿う湾曲通路、及び排出口２１Ａ，２１Ｂに通じる紙通路をそれぞれ形成する。
【００２０】
なお、上部ガイド部材１８１の湾曲部１８１ｂにはピンチローラ２３を設け、搬送ローラ２２と共にこの間を通る用紙１３１を挟持して確実に搬送するように構成している。
【００２１】
また、前述したループ用スペース２０は、用紙１３１をループさせて一時的に保管するためのスペースであることから、その間隔は、用紙１３１にループが形成でき、かつ、プラテン１４２により送り出された用紙１３１のこしが折れない間隔としてある。
【００２２】
ここで、本体ケース１１は、図示の垂直設置（縦置きタイプ）と水平設置（横置きタイプ）との２つの状態に設置可能である。垂直設置（縦置きタイプ）は、図示のとおり、その内部に設けられたロール紙１３から用紙１３１が上方へ引き出される設置状態を言う。また、水平設置（横置きタイプ）は、ロール紙１３から図示しないが横方向に用紙１３１が引き出される設置状態を言う。
【００２３】
用紙の排出口２１Ａ，２１Ｂは、これら水平、垂直のそれぞれの設置状態において、顧客と対面する前面となる、互いに異なる面にそれぞれ設けられている。すなわち、排出口２１Ａは、本体ケース１１を図示のように垂直設置した縦置きタイプで使用される場合の排出口である。また、排出口２１Ｂは、本体ケース１１を図示右側面が下面となるように水平設置した横置きタイプで使用される場合の排出口である。このため、排出口２１Ａ，２１Ｂに通じる内部の紙通路には用紙１３１を排出口２１Ａ，２１Ｂのいずれかに導く切換機構２４が設けられている。
【００２４】
この切換機構２４は、図２で示すように支軸２４１により回動可能に枢支されたフラッパー２４２を有し、このフラッパー２４２を回動させることにより、用紙１３１の通路を排出口２１Ａ，２１Ｂのいずれかに切換えるものである。図１の実施の形態は縦置きタイプであるから、フラッパー２４２は図示右回りの駆動されており、排出口２１Ａに通じる紙通路を形成している。
【００２５】
前述したボックス体１２は、内部に収容スペース１２１を有し、本体ケース１１の一面（図示しない顧客と対面する前面）に設けられる。この実施形態では、前述のように、本体ケース１１の前面の少なくとも一部は開放面となっているので、このボックス体１２は、この開放面を覆うように設けられる。このボックス体１２の図示左面上部には開口１２２が形成されており、この開口１２２を通して、内部の収容スペース１２１を、本体ケース１１内に形成されたループ用スペース２０と連通させている。
【００２６】
また、このボックス体１２は、その図示左下部が本体ケース１１に対して支軸２５により回動可能に枢支されており、図３で示すように、本体ケース１１の前面下部を開閉することができる。したがって、この開放面を通してロール紙１３を本体ケース１１内へ装着することができる。
【００２７】
さらに、このボックス体１２の外面は、図４で示すように、前記支軸２５を中心に開閉可能に構成されている。したがって、この外面部の開放時、ボックス体１２の収容スペース１２１内に回収された用紙１３１を取り出すことができる。
【００２８】
詳細を後述する制御部は、搬送ローラ２２を正逆回転方向に回転制御する。搬送ローラ２２の正回転は、印字装置１４から送り出され、カッター装置１８を経た用紙１３１を排出口２１Ａに向って搬送させる。この搬送ローラ２２の正回転は、予め設定した搬送距離搬送後に停止させる。この予め設定した搬送距離とは、搬送された用紙１３１の先端が排出口２１Ａから外部に露出しないか、露出しても顧客により捕まれない程度の露出量となるように設定する。
【００２９】
この搬送ローラ２２の正回転停止により、印字装置１４から送り出される用紙１３１は、その先端部分の移動が停止するので、後半部分はループ用スペース２０内でループし、一時的に保管される。制御部は、印字装置１４による１レシート分の印字が完了するとカッター装置１８を動作させ、用紙１３１を切断する。用紙１３１が切断されると、切断された用紙１３１の前半部分が排出口２１Ａから外部に露出して、顧客により取り去り可能な状態となるまで搬送ローラ２２を正回転させる。
【００３０】
また、制御部は、カッター装置１８による用紙１３１の切断から所定時間経過しても、切断された用紙１３１が排出口２１Ａから取り去られない場合は、この用紙１３１を回収すべく、搬送ローラ２２を逆回転させ、切断された用紙１３を、ループ用スペース２０を経てボックス体１２内の収容スペース１２１へ搬送させる。
【００３１】
図５は上述した制御部を含むプリンター装置の制御装置を示している。この制御装置には、用紙搬送、印刷、用紙切断及び用紙排出の各制御を行う手段として上述した制御部１００が設置されている。この実施の形態では、用紙印刷と用紙排出とを単一の制御部１００で制御しているが、これらの制御は別個の構成としてもよい。
【００３２】
この制御部１００は、ホストコンピュータ１０２との連係及び各種の制御を実行するため、例えば、マイクロコンピュータで構成されている。制御部１００の中央処理装置（ＭＰＵ）１０４は、プログラムに従って用紙搬送制御、印刷制御、用紙切断制御、用紙排出制御等の各種の制御や演算を行なう。このＭＰＵ１０４は、時間設定及び時間制御を行なう手段としてタイマ１０６を備えている。
【００３３】
このＭＰＵ１０４で実行する制御プログラムや制御又は演算途上のデータ等を格納する主記憶手段としてＲＯＭ１０８及びＲＡＭ１１０が設置されている。ＲＯＭ１０８は制御プログラムやテーブル等を持つ読出し専用メモリ、ＲＡＭ１１０は演算途上のデータ等を格納する随時書込みメモリである。
【００３４】
また、この制御部１００には、ホストコンピュータ１０２から各種の入力データの取込みや、ホストコンピュータ１０２へ制御部１００の制御出力の取出しを行なう入出力ユニット（Ｉ／Ｏ）１１２が設けられている。このＩ／Ｏ１１２は、ＭＰＵ１０４、ＲＯＭ１０８及びＲＡＭ１１０とバスを通じて連係されている。
【００３５】
また、このＩ／Ｏ１１２には、制御出力を取り出すための手段として第１、第２、第３及び第４のドライバ１１４、１１６、１１８、１２０が接続されている。ドライバ１１４は印字装置１４へ必要な駆動出力を供給する。ドライバ１１６はカッター装置１８への駆動出力を供給する。ドライバ１１８は搬送ローラ２２を駆動するモータ２２Ｍの駆動出力を取り出す。また、ドライバ１２０は表示器１２４に各種表示を行なわせる表示駆動出力を取り出す。
【００３６】
印字装置１４は、図１で説明した印字ヘッド（例えば、サーマル印字ヘッド）１４１及びプラテン１４２を備えている。プラテン１４２は、ローラ状に形成されており、前述のように、印字すべき用紙１３１を搬送するとともに、印字中の用紙１３１を支持する。このプラテン１４２は、ＭＰＵ１０４の制御（印字指令手段としての制御機能）に基づき、図示しないモータにより、印字動作と同期して回転駆動される。サーマル印字ヘッド１４１は、ホストコンピュータ１０２からの印字データに基づいて、用紙１３１に印字を行なう。
【００３７】
また、制御部１００のＭＰＵ１０４は、ドライバ１１８を介してモータ２２Ｍを可逆運転し、前述したように、搬送ローラ２１を正回転及び逆回転方向に運転制御する。すなわち、カッター装置１８による用紙１３１の切断前においては、搬送ローラ２２を、その外面に接した用紙１３１の先端が、図１で説明した排出口２１Ａから突出しないか、或いは掴まれない程度に僅かに突出するように、予め設定した搬送距離分、正回転させ、停止させる。
【００３８】
一方、カッター装置１８による用紙１３１の切断後においては、切断された用紙１３１の前半部分が、図１で説明した排出口２１Ａから突出するまで搬送ローラ２２を正回転させ、停止させる。その後、制御部のＭＰＵ１０４は、排出口２１Ａに設けた図示しないセンサーからの信号により、切断された用紙１３１が排出口２１Ａから取り去られたかを監視する。切断から所定時間経過しても、切断された用紙１３１が排出口２１Ａから取り去られない場合は、搬送ローラ２２を逆回転させ、切断された用紙１３を、ループ用スペース２０を経てボックス体１２内の収容スペース１２１へ搬送させる。
【００３９】
次に、プリンター装置の動作を説明する。電源を制御部１００に供給し、制御部１００に対し初期設定を行なった後、用紙搬送とともに印字動作を行う。
【００４０】
まず、ロール紙１３から用紙１３１を引き出して、その先端部分を印字装置１４の印字ヘッド１４１とプラテン１４２との間にセットする。この状態で、図５で示したホストコンピュータ１０２から、印字要求が入力されると、制御部１００はその印字要求に対応して印字装置１４を動作させ、ホストコンピュータ１０２から送られた印字データを用紙１３１上に印字する。この印字は印字ヘッド１４１により行われ、印字された用紙１３１ は、プラテン１４２の回転により排出方向（図示右上方）に搬送される。
【００４１】
印字装置１４により印字された用紙１３１は、カッター装置１８のカッター刃１８２，１８３間を通った後、上側ガイド部材１９１の第１直線部１９１ａの下面に案内され、その先端は、搬送ローラ２２の外周面に当接する。この用紙１３１が搬送ローラ２２の外周面に当接したことは、プラテン１８を回転駆動する図示しないモータの駆動パルスをカウントすることにより検出される。なお、駆動パルスをカウントする代わりにセンサーを設けて用紙１３１の先端位置を検出してもよい。
【００４２】
印字された用紙１３１の先端が搬送ローラ２２の外周面に当接すると、制御部１００はモータ２２Ｍを制御し、搬送ローラ２２を印刷装置１４の搬送速度にあわせて正回転させる。このため、用紙１３１は、搬送ローラ２２の外周面と上側ガイド部材１９１の湾曲部１９１ｂとの間を円弧状に移動する。このとき、用紙１３１は加圧部材として機能するピンチローラ２３とも接触するので、このピンチローラ２３により搬送ローラ２２の外周面に圧接され、確実に排出方向に搬送される。制御部１００は搬送ローラ２２による用紙１３１の搬送距離が予め設定した搬送距離に達すると搬送ローラ２２の正回転を停止させる。このため、印字された用紙１３１の先頭部分は排出口２１Ａから突出しない状態か、或いは突出しても掴めない状態で停止し、用紙１３１の前半部分は、ピンチローラ２３と搬送ローラ２２とにより挟圧保持される。
【００４３】
この用紙１３１の先頭部分が停止した状態において、印字装置１４による印字が完了していない場合、印字が継続し、印字された用紙１３１は印字装置１４からカッター装置１８を通って送り出され続ける。このため、印字装置１４により送り出された用紙１３１の後半部分は、下側ガイド部材１９２の第１直線部１９２ａとカッター装置ケース１８１の上面との間に前下がりに形成されたループ用スペース２０内に自重により垂れ下がり、図示のようにループ状に湾曲しながら入り込む。
【００４４】
このとき、印字対象がレシートのような場合、１レシート分の印字量が極めて多量になることがある。この場合、ループ状に湾曲する部分が長大になる。このような場合でも、ループ用スペース２０は開口１２２によりボックス体１２の収容スペース１２１へ通じていることから、ループ用スペース２０に納まりきらないループ状部分は、ボックス体１２の収容スペース１２１に連続して収容することができ、問題は生じない。
【００４５】
このようにして用紙１３１への印字が完了すると、制御部１００は、カッター装置１８を動作させ用紙１３１を切断する。この後、制御部１００はモータ２２Ｍを制御して搬送ローラ２２を正回転させる。この搬送ローラ２２の正回転により、ループ用スペース１２（及び収容スペース１２ａ）内に収容されていた切断された用紙１３１は再び排出方向に搬送され、その前半部分が排出口２１Ａから排出される。この搬送ローラ２２の正回転は、切断された用紙１３１の、切断された後端部がピンチローラ２３と搬送ローラ２２の外周面との間に挟持された状態で停止させる。
【００４６】
通常、本体ケースの前面と対向している図示しない顧客は、排出口２１Ａから排出された印字された用紙１３１を取り去るが、この用紙１３１が取り去られない場合もある。このような場合、制御部１００は、切断からの時間をカウントし、所定時間経過しても、切断された用紙１３１が排出口２１Ａから取り去られない場合は、搬送ローラ２２を逆回転させ、切断された用紙１３を、ループ用スペース２０を経てボックス体１２内の収容スペース１２１へ回収させる。
【００４７】
このように、印字された用紙１３１をループ状に湾曲形成して装置内部に一時的に保管する構成を、壁面取り付けなどの縦置きタイプで構成することができる。このループ用スペース２０は本体ケース１１内に前下がりの形状で配置したことにより、重力を利用できることから小さなスペースで確実に用紙１３１をループさせることができる。また、この印字された用紙１３１が長大になっても、用紙回収用として設けられたボックス体１２の収容スペース１２１を、ループした用紙の収容部としても兼用できる。このため、ループ部分の収容量を大きくとることができ、長大なループ部分も確実に収容することができる。
【００４８】
また、このボックス体１２の収容スペース１２１は、開口１２２を介してループ用スペース２０から連続形成されているため、搬送ローラ２２を単に逆回転させるだけで、排出口２１Ａから取り去られなかった用紙を収容スペース１２ａ内に確実に回収することができる。
【００４９】
また、このボックス体１２は、本体ケース１１の開放面を、支軸２５を介して開閉可能に覆っていることから、図３で示すように、このボックス体１２を開操作することにより、ロール紙１３の取替え作業を容易に行うことができる。さらに、このボックス体１２の外面は、図４で示すように、同じく支軸２５により開閉可能に構成されていることから、この外面を開放操作することにより、内部に回収された用紙１３１を容易に取り出すことができる。
【００５０】
上記実施の形態では、図示のように本体ケース１１を垂直方向に設置して縦置きタイプとして使用した場合を説明しているが、本体ケース１１を水平方向に設置して横置きタイプとして使用してもよい。ずなわち、図１の状態から右方向に９０度倒し、ボックス体１２の右外側面が設置底面となるように設置する。この場合、図１における本体ケース１１の上面が、図示しない顧客と対面する前面となるので排出口としては２１Ｂを用いる。したがって、切換え装置２４は図２で示したフラッパー２４２が、図示左周りに回動し、紙通路が排出口２１Ｂに通じる状態とする。
【００５１】
このように横置きタイプで使用しても、ループ用スペース２０が本体ケース１１内で合理的に配置されていることから、小さなスペースで確実に用紙１３１をループさせることができる。また、この印字された用紙１３１が長大になっても、用紙回収用として設けられたボックス体１２の収容スペース１２１にループ部分を収容できることから、長大なループ部分を確実に収容することができる。
【００５２】
また、この収容スペース１２１は、開口１２２を介してループ用スペース２０から連続形成されているため、搬送ローラ２２の逆回転により排出口２１Ｂから取り去られなかった用紙を確実に回収することができる。
【００５３】
また、このボックス体１２が底面設置となっても、本体ケース１１を、支軸２５を中心に９０度立ち上げれば、このボックス体１２の開放面が露出することとなり、ロール紙１３の取替え作業を容易に行うことができる。さらに、この状態からボックス体１２を、その外面に対して、同じく支軸２５を中心に９０度立ち上げれば、ボックス体１２の内部が開放されることとなり、内部に回収された用紙１３１を容易に取り出すことができる。
【００５４】
このように、本体ケース１１は縦置きタイプ及び横置きタイプのいずれにも適用可能である。ただし、製作段階において、縦置きタイプ又は横置きタイプでの使用形態が決定している場合は、排出口２１Ａ，２１Ｂのいずれかを省略してもよい。この場合、内部の切換機構２４も省略し、ガイド部材１９により形成される紙通路を排出口２１Ａ，２１Ｂのいずれかに通じるように構成すればよい。
【００５５】
また、ループ用スペース２０は、カッター装置ケース１８１の上面とガイド部材１９の直線部１９２ａとで形成していたが、カッター装置ケース１８１の上面部に代って専用のガイド部材を用いてもかまわない。
【００５６】
また、印字ヘッドとして、上記実施の形態では、感熱紙に印字するサーマル印字ヘッドを例示したが、他の形式の印字ヘッドを用いた場合も同様に実施可能である。
【００５７】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００５８】
１１・・・本体ケース
１２…ボックス体
１２１…収容スペース
１２２…開口
１３・・・ロール紙
１３１・・・用紙
１４・・・印字装置
１４１・・・印字ヘッド
１４２・・・プラテン
１８・・・カッター装置
１９・・・ガイド部材
２０・・・ループ用スペース
２１Ａ，２１Ｂ・・・排出口
２２・・・搬送ローラ
２４…切換機構
１００・・・制御部
【図１】
2014015023.tif 000003
【図２】
2014015023.tif 000004
【図３】
2014015023.tif 000005
【図４】
2014015023.tif 000006
【図５】
2014015023.tif 000007